(57)【要約】【課題】凝縮器で冷却水に捨てられている冷媒蒸気の潜熱、顕熱を回収し、全体の熱効率を高めることができる吸収冷凍機を提供することができるようにする。【解決手段】冷媒を蒸発させて冷水を冷却する蒸発器と、該蒸発器からの冷媒蒸気を吸収剤で吸収する吸収器と、該吸収器で前記冷媒蒸気を吸収した前記吸収剤から前記冷媒を蒸発・分離する再生器と、該再生器で分離させた前記冷媒蒸気を凝縮させ、前記蒸発器に戻す凝縮器とを備える吸収冷凍機において、前記凝縮器に熱交換器を設けて、該熱交換器は、前記吸収器から前記再生器に向かう前記吸収剤を導入して、前記吸収剤と前記冷媒蒸気との熱交換を行うことを特徴とする。【選択図】　図１
2004092994.tif 000002
【特許請求の範囲】
【請求項１】
冷媒を蒸発させて冷水を冷却する蒸発器と、該蒸発器からの冷媒蒸気を吸収剤で吸収する吸収器と、該吸収器で前記冷媒蒸気を吸収した前記吸収剤から前記冷媒を蒸発・分離する再生器と、該再生器で分離させた前記冷媒蒸気を凝縮させ、前記蒸発器に戻す凝縮器とを備える吸収冷凍機において、
前記凝縮器に熱交換器を設けて、該熱交換器は、前記吸収器から前記再生器に向かう前記吸収剤を導入して、前記吸収剤と前記冷媒蒸気との熱交換を行うことを特徴とする吸収冷凍機。
【請求項２】
請求項１記載の吸収冷凍機において、
前記熱交換器は、複数備えられていることを特徴とする吸収冷凍機。
【請求項３】
請求項２記載の吸収冷凍機において、
複数の前記熱交換器は、前記再生器で蒸発した前記冷媒蒸気の顕熱を回収する伝熱部材を備えた顕熱回収熱交換器と、前記冷媒蒸気の潜熱を回収する潜熱回収熱交換器とに分かれていることを特徴とする吸収冷凍機。
【請求項４】
請求項２または３に記載の吸収冷凍機において、
前記吸収器から前記再生器に向かう前記吸収剤は、直列に結合された複数の前記熱交換器に導入されることを特徴とする吸収冷凍機。
【請求項５】
請求項２または３に記載の吸収冷凍機において、
前記吸収器から前記再生器に向かう前記吸収剤は、並列に結合された複数の前記熱交換器に導入されることを特徴とする吸収冷凍機。
【請求項６】
請求項１から５のいずれかに記載の吸収冷凍機において、
前記熱交換器には、前記吸収器から前記再生器に向かう前記吸収剤の一部が導入されることを特徴とする吸収冷凍機。
【発明の詳細な説明】
【０００１】
【発明の属する技術分野】
本発明は、冷媒を機械的に吸入、圧縮する圧縮機の代わりに、冷媒を吸収しやすい性質をもった溶液の溶解特性を利用して、圧縮機の代替をする吸収冷凍機に関する。
【０００２】
【従来の技術】
図６は、従来の吸収冷凍機の一例を示す全体的構成図であり、この吸収冷凍機１００は、冷媒を蒸発させ冷水を冷却する蒸発器１０１と、蒸発器１０１で蒸発した冷媒蒸気を臭化リチウム溶液に吸収溶解させる吸収器１０２と、吸収器１０２で冷媒蒸気を吸収して薄くなった希臭化リチウム溶液から冷媒を蒸発させ、濃縮する高圧再生器１０３と低圧再生器１０４と、高圧再生器１０３と低圧再生器１０４で蒸発した冷媒蒸気を凝縮させる凝縮器１０５と、希臭化リチウム溶液の温度を昇温させる低温熱交換器１０６と高温熱交換器１０７とを主な構成要素として構成されている。
【０００３】
上記の構成からなる吸収冷凍機１００によれば、蒸発器１０１で冷水の熱を奪い蒸発した冷媒蒸気は、吸収器１０２内の濃臭化リチウム溶液に吸収溶解される。濃臭化リチウム溶液は冷媒蒸気を吸収して希臭化リチウム溶液となり、低温熱交換器１０６を通過する過程で、後述する高圧再生器１０３と低圧再生器１０４で濃縮された高温の濃臭化リチウム溶液により加熱されて昇温する。低温熱交換器１０６で昇温された希臭化リチウム溶液の一部は低圧再生器１０４に流入し、残部は高温熱交換器１０７で、後述する高圧再生器１０３で濃縮された高温の濃臭化リチウム溶液により、さらに昇温されて高圧再生器１０３に流入する。
【０００４】
高圧再生器１０３に流入した希臭化リチウム溶液は、加熱されて吸収していた冷媒を蒸発させ、高温の濃臭化リチウム溶液となり、前述した高温熱交換器１０７で希臭化リチウム溶液を昇温させた後、後述する低圧再生器１０４から流出した濃臭化リチウム溶液と合流する。高圧再生器１０３で希臭化リチウム溶液から分離した高温の冷媒蒸気は、低圧再生器１０４に導かれ希臭化リチウム溶液を加熱し、凝縮器１０５に流入する。
【０００５】
低圧再生器１０４では、前述したように、希臭化リチウム溶液は、高圧再生器１０３で発生した高温冷媒蒸気により加熱され、吸収していた冷媒を蒸発させ濃臭化リチウム溶液となる。低圧再生器１０４で濃縮された濃臭化リチウム溶液は、前述した高圧再生器１０３から流出した濃臭化リチウム溶液と合流し、低温熱交換器１０６において希臭化リチウム溶液を昇温させた後、吸収器１０２に戻る。また、低圧再生器１０４で蒸発した冷媒蒸気は、凝縮器１０５に導かれ、前述した高圧再生器１０３で発生した高温冷媒蒸気とともに、冷却水で冷却され、凝縮、液化して、蒸発器１０１に戻る。
【０００６】
【発明が解決しようとする課題】
ところで、上記構成の吸収冷凍機においては、低圧再生器１０４で発生した冷媒蒸気は凝縮器１０５に流入し、冷却水を冷却用の低温熱源とする凝縮器１０５で凝縮させている。つまり、冷媒蒸気の顕熱および潜熱は冷却水に捨てられており、捨てられた熱は、熱効率上寄与するところがなく、無駄になっているという問題があった。
【０００７】
この発明は、このような事情を考慮してなされたもので、その目的は、凝縮器で冷却水に捨てられている冷媒蒸気の潜熱、顕熱を回収し、全体の熱効率を高めることができる吸収冷凍機を提供することにある。
【０００８】
【課題を解決するための手段】
本発明の吸収冷凍機では、上記課題を解決するため、以下の手段を採用した。請求項１にかかる発明は、冷媒を蒸発させて冷水を冷却する前記蒸発器と、該蒸発器からの冷媒蒸気を吸収剤で吸収する前記吸収器と、該吸収器で前記冷媒蒸気を吸収した前記吸収剤から前記冷媒を蒸発・分離する前記再生器と、該再生器で分離させた前記冷媒蒸気を凝縮させ、前記蒸発器に戻す前記凝縮器とを備える吸収冷凍機において、前記凝縮器に前記熱交換器を設けて、該熱交換器は、前記吸収器から前記再生器に向かう前記吸収剤を導入して、前記吸収剤と前記冷媒蒸気との熱交換を行うことを特徴とする。
【０００９】
この発明にかかる吸収冷凍機によれば、前記再生器において、前記冷媒を吸収した前記吸収剤は加熱され、前記吸収剤に吸収されていた前記冷媒は、蒸発して前記吸収剤から分離される。前記再生器において、前記吸収剤から分離した前記冷媒蒸気は、前記熱交換器に導入される前記吸収剤より高温になっているため、前記冷媒蒸気の顕熱、潜熱は、温度の低い前記熱交換器に導入される前記吸収剤に吸収され、該吸収剤の温度を上げることができる。つまり、前記再生器において前記吸収剤から前記冷媒を蒸発させるのに必要とされる熱量を低減させることができる。
【００１０】
請求項２にかかる発明は、請求項１記載の吸収冷凍機において、前記熱交換器が、複数備えられていることを特徴とする。
【００１１】
この発明にかかる吸収冷凍機によれば、前記熱交換器の数が増えることにより、伝熱面積が増大し、前記熱交換器において移動する熱量も増大し、前記再生器に流入する前記吸収剤の保有する熱量も増大する。つまり、前記再生器において前記吸収剤から前記冷媒を蒸発させるのに必要とされる熱量を低減させることができる。
【００１２】
請求項３にかかる発明は、請求項２記載の吸収冷凍機において、複数の前記熱交換器が、前記再生器で蒸発した前記冷媒蒸気の顕熱を回収する、伝熱部材を備えた顕熱回収熱交換器と、前記冷媒蒸気の潜熱を回収する潜熱回収熱交換器とに分かれていることを特徴とする。
【００１３】
この発明にかかる吸収冷凍機によれば、前記顕熱回収熱交換器は、前記伝熱部材を備えているため、熱伝導率の悪い前記冷媒蒸気との伝熱面積が広くなり、前記冷媒蒸気から前記吸収剤への熱交換量を増やすことができる。また、前記潜熱回収熱交換器では、液化し熱伝導率の高くなった前記冷媒と熱交換をするため、前記冷媒蒸気から前記吸収剤へ効率よく熱交換することができる。つまり、前記再生器に流入する前記吸収剤の保有する熱量が増大し、前記再生器において前記吸収剤から前記冷媒を蒸発させるのに必要とされる熱量を低減させることができる。
【００１４】
請求項４にかかる発明は、請求項２または３に記載の吸収冷凍機において、前記吸収器から前記再生器に向かう前記吸収剤が、直列に結合された複数の前記熱交換器に導入されることを特徴とする。
【００１５】
この発明にかかる吸収冷凍機によれば、前記吸収器から前記再生器に向かう前記吸収剤は、直列に結合された複数の前記熱交換器に導入されるため、前記吸収剤は、複数の前記熱交換器を通過して熱交換を行うことになり、前記吸収剤の温度を、蒸発直後の前記冷媒蒸気の温度により近づけることができる。つまり、前記再生器に流入する前記吸収剤の温度が高くなり、前記再生器において前記吸収剤から前記冷媒を蒸発させるのに必要とされる熱量を低減させることができる。
【００１６】
請求項５にかかる発明は、請求項２または３に記載の吸収冷凍機において、前記吸収器から前記再生器に向かう前記吸収剤が、並列に結合された複数の前記熱交換器に導入されることを特徴とする。
【００１７】
この発明にかかる吸収冷凍機によれば、前記吸収器から前記再生器に向かう前記吸収剤は、並列に結合された複数の前記熱交換器に導入されるため、複数の各前記熱交換器には、前記吸収器から出てきた温度の低い前記吸収剤が導かれるため、複数の各前記熱交換器において、前記吸収剤と前記冷媒蒸気との温度差を大きく取れるため、複数の各前記熱交換器において移動する熱量も増大し、前記再生器に流入する前記吸収剤の保有する熱量も増大する。つまり、前記再生器において前記吸収剤から前記冷媒を蒸発させるのに必要とされる熱量を低減させることができる。
【００１８】
請求項６にかかる発明は、請求項１から５のいずれかに記載の吸収冷凍機において、前記熱交換器に、前記吸収器から前記再生器に向かう吸収剤の一部が導入されることを特徴とする。
【００１９】
この発明にかかる吸収冷凍機によれば、例えば、外部からの熱負荷が少なくなり、前記再生器における前記吸収剤からの前記冷媒の蒸発量を少なくするとき、前記冷媒蒸気の量が減少し、前記冷媒蒸気が有する顕熱、潜熱量も少なくなる。この場合において、前記熱交換器に、前記吸収器から前記再生器に向かう前記吸収剤の一部を導入することにより、前記吸収剤は前記冷媒蒸気の少ない顕熱、潜熱量で十分に昇温される。つまり、前記吸収剤が前記再生器の熱量まで吸収し、前記再生器の温度低下を防ぐために、追加の熱量を前記再生器に投入することを防ぐことができる。
【００２０】
【発明の実施の形態】
以下、図面を参照し、この発明の実施の形態について説明する。図１から図５はこの発明の第一の実施形態を示す図である。
図１において吸収冷凍機１０は、冷媒を蒸発させ冷水を冷却する蒸発器１１と、蒸発器１１で蒸発した冷媒蒸気を臭化リチウム溶液（吸収剤）に吸収溶解させる吸収器１２と、吸収器１２で冷媒蒸気を吸収して薄くなった希臭化リチウム溶液から冷媒を蒸発させ、濃縮する高圧再生器（再生器）１３と低圧再生器（再生器）１４と、高圧再生器１３と低圧再生器１４で蒸発した冷媒蒸気を凝縮させる凝縮器１５と、希臭化リチウム溶液と高温の濃縮された臭化リチウム溶液と熱交換して、希臭化リチウム溶液の温度を昇温させる低温熱交換器１６と高温熱交換器１７と、希臭化リチウム溶液と高温の冷媒蒸気と熱交換して、希臭化リチウム溶液の温度を昇温させる顕熱回収熱交換器（熱交換器）１８と潜熱回収熱交換器（熱交換器）１９とを主な構成要素として構成されている。
【００２１】
ここで、本実施形態においては、図２に示すように、低圧再生器１４と凝縮器１５を同一胴内に設ける構成を採用し、両器を分ける内壁（冷媒蒸気流路形成壁）により胴内に形成される低圧再生器１４側から凝縮器１５側へ至る冷媒蒸気の流れる方向において、上流側に顕熱回収熱交換器１８を、下流側に潜熱回収熱交換器１９を配する。より詳細には、顕熱回収熱交換器１８には、伝熱フィン（伝熱部材）２０が設けられ、顕熱回収熱交換器１８と潜熱回収熱交換器１９とは、吸収器１２から流出した希臭化リチウム溶液が全量、潜熱回収熱交換器１９に流入した後、顕熱回収熱交換器１８に流入するように溶液配管を配設し、かつ、図２に示すように、低圧再生器１４と凝縮器１５に挟まれるかたちで、低圧再生器１４側に顕熱回収熱交換器１８を、凝縮器１５側に潜熱回収熱交換器１９を並設する。
【００２２】
上記の構成からなる吸収冷凍機１０によれば、蒸発器１１で冷水の熱を奪い蒸発した冷媒蒸気は、吸収器１２内の濃臭化リチウム溶液に吸収溶解される。濃臭化リチウム溶液は冷媒蒸気を吸収して濃度が薄くなった希臭化リチウム溶液となり、吸収器１２から潜熱回収熱交換器１９に流入し、その後顕熱回収熱交換器１８に流入する。潜熱回収熱交換器１９では、吸収器１２からの希臭化リチウム溶液（３５℃〜４０℃）と後述する顕熱回収熱交換器１８で温度の下がった冷媒蒸気とが熱交換を行い、希臭化リチウム溶液の温度は昇温し、冷媒蒸気は凝縮温度（４０℃）まで冷却され凝縮する。
【００２３】
潜熱回収熱交換器１９で昇温された希臭化リチウム溶液は、次に顕熱回収熱交換器１８に流入し、後述する低圧再生器１４で蒸発した冷媒蒸気（９０℃）と熱交換を行い、さらに昇温され、温度の下がった冷媒蒸気は前述した潜熱回収熱交換器１９に流れる。熱伝導率の低い冷媒蒸気との熱交換を行う顕熱回収熱交換器１８での熱交換は、伝熱フィン２０により、伝熱面積が増加することで、より多くの熱量が交換される。
【００２４】
顕熱回収熱交換器１８と潜熱交換熱交換器１９とで昇温された希臭化リチウム溶液は、低温熱交換器１６を通過する過程で、後述する高圧再生器１３と低圧再生器１４で濃縮された高温の濃臭化リチウム溶液により加熱されて昇温する。低温熱交換器１６で昇温された希臭化リチウム溶液の一部は低圧再生器１４に流入し、残部は高温熱交換器１７で、後述する高圧再生器１３で濃縮された高温の濃臭化リチウム溶液によりさらに昇温されて高圧再生器１３に流入する。
【００２５】
高圧再生器１３に流入した希臭化リチウム溶液は、加熱されて吸収していた冷媒を蒸発させ高温の濃臭化リチウム溶液となり、前述した高温熱交換器１７で希臭化リチウム溶液を昇温させた後、後述する低圧再生器１４から流出した濃臭化リチウム溶液と合流する。高圧再生器１３で希臭化リチウム溶液から分離した高温の冷媒蒸気は、低圧再生器１４に導かれ、希臭化リチウム溶液と中濃臭化リチウム溶液の混合溶液を加熱し、凝縮器１５に流入する。
【００２６】
低圧再生器１４では、希臭化リチウム溶液は、高圧再生器１３で発生した高温冷媒蒸気により加熱され吸収していた冷媒を蒸発させ濃臭化リチウム溶液となる。低圧再生器１４から流出した濃臭化リチウム溶液は、前述した高圧再生器１３で濃縮された濃臭化リチウム溶液と合流し、低温熱交換器１６において希臭化リチウム溶液を昇温させた後、吸収器１２に戻る。また、低圧再生器１４で蒸発した冷媒蒸気は、凝縮器１５に導かれ、前述した高圧再生器１３で発生した高温冷媒蒸気とともに、前述した顕熱回収熱交換器１８と潜熱回収熱交換器１９とにおいて希臭化リチウム溶液を昇温させ、冷媒蒸気自身は凝縮、液化して、蒸発器１１に戻る。また、凝縮しなかった冷媒蒸気も、冷却水で冷却され、凝縮、液化して、蒸発器１１に戻る。
【００２７】
上記の構成によれば、伝熱フィン２０を備え、伝熱面積の広い顕熱回収熱交換器１８において、低圧再生器１４で蒸発した、熱伝導率の悪い冷媒蒸気の顕熱を希臭化リチウム溶液に回収し、潜熱回収熱交換器１９において、冷媒蒸気が凝縮する際に発生する潜熱を希臭化リチウム溶液に回収するので、高圧再生器１３と低圧再生器１４とに流入する希溶液の熱量が増大し、高圧再生器１３と低圧再生器１４とにおいて希溶液から冷媒を蒸発させるのに必要とされる熱量を低減させることができる。つまり、吸収冷凍機全体の熱効率を高めることができる。
【００２８】
また、希溶液は、潜熱回収熱交換器１９で昇温された後、顕熱回収熱交換器１８に導かれ、さらに昇温されるので、高圧再生器１３と低圧再生器１４とに流入する希溶液の熱量が増大し、高圧再生器１３と低圧再生器１４とにおいて希溶液から冷媒を蒸発させるのに必要とされる熱量を低減させることができる。つまり、吸収冷凍機全体の熱効率を高めることができる。
【００２９】
図３は、この発明の第二の実施形態を示す図である。その基本構成は図１に示すものと同一であり、同一構成要素には同一符号を付し、その説明を省略する。図３の吸収冷凍機５０において、低温熱交換器１６と潜熱回収熱交換器１９とは、吸収器１２から流出した希臭化リチウム溶液が分岐して両者に流入するように設けられている。また、低温熱交換器１６と顕熱回収熱交換器１８とは、低温熱交換器１６と顕熱回収熱交換器１８とから流出した希臭化リチウム溶液が合流するように設けられている。
【００３０】
上記の構成からなる吸収冷凍機５０によれば、吸収器１２から流出した希臭化リチウム溶液の一部は、潜熱回収熱交換器１９に流入し、顕熱回収熱交換器１８を通過した冷媒蒸気と熱交換して昇温する。希臭化リチウム溶液の一部は、潜熱回収熱交換器１９で昇温した後、顕熱回収熱交換器１８に流入し、低圧再生器１４で発生した冷媒蒸気と熱交換してさらに昇温される。顕熱回収熱交換器１８で昇温された希臭化リチウム溶液は、後述する低温熱交換器１６から流出した希臭化リチウム溶液と合流する。
【００３１】
吸収器１２から流出した希臭化リチウム溶液の残部は、そのまま低温熱交換器１６に流入し、低圧再生器１４から流出した濃臭化リチウム溶液と熱交換して昇温される。低温熱交換器１６で昇温された希臭化リチウム溶液は、前述した顕熱回収熱交換器１８と潜熱回収熱交換器１９と熱交換して昇温した希臭化リチウム溶液と合流して、一部は低圧再生器１４に流入し、残部は高温熱交換器１７に流入する。
【００３２】
上記の構成によれば、例えば、外部（冷水）からの熱負荷が少なくなり、高圧再生器１３と低圧再生器１４における、冷媒の蒸発量を少なくするとき、冷媒蒸気の量が減少するため、冷媒蒸気が有する顕熱、潜熱量が少なくなる。この場合において、吸収器１２から希臭化リチウム溶液の一部を潜熱回収熱交換器１９と顕熱回収熱交換器１８とに導いているので、希臭化リチウム溶液は冷媒蒸気の少ない顕熱、潜熱で十分に昇温される。つまり、希臭化リチウム溶液が低圧再生器１４の熱量まで吸収し、低圧再生器１４の温度低下を防ぐために、追加の熱量を低圧再生器１４に投入することを防ぐことができ、吸収冷凍機５０全体の熱効率を高めることができる。
【００３３】
なお、上記の実施の形態においては、希臭化リチウム溶液の流し方として熱回収効率をより高くするため、潜熱回収熱交換器１８と顕熱回収熱交換器１９とが直列に結合された状態となるように溶液配管を配設した構成を採用した。ただし、装置構成としては、潜熱回収熱交換器１８と顕熱回収熱交換器１９とが直列に結合された状態となるように溶液配管を分岐させて顕熱回収熱交換器１８と潜熱回収熱交換器１９の双方に分流し、再度合流する溶液配管を配設した構成としてもよい。
【００３４】
また、上記の実施の形態においては、顕熱回収熱交換器１８と潜熱回収熱交換器１９と凝縮器１５の配置を図２に示しているものに適応して説明したが、顕熱回収熱交換器１８と潜熱回収熱交換器１９と凝縮器１５の配置は図２に示しているものに限られることなく、図４、図５に示すものなど、その他各種の配置に適応することができるものである。ここで、図４及び図５に示した構成においては、図２に示した顕熱回収熱交換器１８と潜熱回収熱交換器１９と同様に冷媒蒸気流路形成壁を用い、上流側に顕熱回収熱交換器１８が、下流側に潜熱回収熱交換器１９が位置するように凝縮器１５に近接して設ける構成として、潜熱回収熱交換器１９の直上に顕熱回収熱交換器１８を配置する構成を採用している。これは、蒸気の自重変化による流れの向きを考慮したものであり、特に、図４に示したように、冷媒蒸気流路形成壁に隣接した状態で、凝縮器１５の直上に潜熱回収熱交換器１９が配され、その潜熱回収熱交換器１９の直上に顕熱回収熱交換器１８が配される構成とした場合には、もっとも効率良く熱交換を実現できる。
【００３５】
【発明の効果】
以上説明したように、請求項１に係る発明によれば、前記熱交換器において、前記冷媒蒸気の顕熱、潜熱を、前記熱交換器に導入される前記吸収剤に回収し、該吸収剤の温度を上げることができ、前記再生器において前記吸収剤から前記冷媒を蒸発させるのに必要とされる熱量を低減させることができる。つまり、全体の熱効率を高められるという効果を奏する。
【００３６】
請求項２に係る発明によれば、前記熱交換器おいて前記吸収剤に移動する熱量が増大し、前記再生器に流入する前記吸収剤の保有する熱量も増大するため、前記再生器において前記吸収剤から前記冷媒を蒸発させるのに必要とされる熱量を低減させることができる。つまり、全体の熱効率をより高められるという効果を奏する。
【００３７】
請求項３に係る発明によれば、前記顕熱回収熱交換器において、前記冷媒蒸気の顕熱を前記吸収剤に回収し、前記潜熱回収熱交換器において、前記冷媒の潜熱を前記吸収剤に回収するので、前記再生器に流入する前記吸収剤の熱量が増大し、前記再生器において前記吸収剤から前記冷媒を蒸発させるのに必要とされる熱量を低減させることができる。つまり、全体の熱効率をより高められるという効果を奏する。
【００３８】
請求項４に係る発明によれば、前記再生器に流入する前記吸収剤の温度をより高くすることができるため、前記再生器において前記吸収剤から前記冷媒を蒸発させるのに必要とされる熱量を低減させることができる。つまり、全体の熱効率をより高められるという効果を奏する。
【００３９】
請求項５に係る発明によれば、前記熱交換器おいて前記吸収剤に移動する熱量が増大し、前記再生器に流入する前記吸収剤の保有する熱量も増大するため、前記再生器において前記吸収剤から前記冷媒を蒸発させるのに必要とされる熱量を低減させることができる。つまり、全体の熱効率をより高められるという効果を奏する。
【００４０】
請求項６に係る発明によれば、低熱負荷状態において、前記吸収器から前記再生器に向かう前記吸収剤の一部を導入することにより、前記再生器から熱量が奪われるのを防ぎ、前記再生器において、前記吸収剤から前記冷媒を蒸発させるのに必要とされる熱量の増加を防止することができるとともに、前記熱交換器において、前記冷媒蒸気の顕熱、潜熱を前記吸収剤に回収し、前記再生器において前記吸収剤から前記冷媒を蒸発させるのに必要とされる熱量を低減させることができる。つまり、全体の熱効率をより高められるという効果を奏する。
【図面の簡単な説明】
【図１】本発明による吸収冷凍機の一実施形態を示す模式図である。
【図２】本発明による吸収冷凍機の一実施形態を示す要部拡大図である。
【図３】本発明による吸収冷凍機の別の実施形態を示す模式図である。
【図４】本発明による吸収冷凍機のさらに別の実施形態を示す要部拡大図である。
【図５】本発明による吸収冷凍機のさらに別の実施形態を示す要部拡大図である。
【図６】従来の吸収冷凍機の例を示す模式図である。
【符号の説明】
１０、５０　吸収冷凍機
１１　蒸発器
１２　吸収器
１３　高圧再生器（再生器）
１４　低圧再生器（再生器）
１５　凝縮器
１８　顕熱回収熱交換器（熱交換器）
１９　潜熱回収熱交換器（熱交換器）
２０　伝熱フィン（伝熱部材）
【図１】
2004092994.tif 000003
【図２】
2004092994.tif 000004
【図３】
2004092994.tif 000005
【図４】
2004092994.tif 000006
【図５】
2004092994.tif 000007
【図６】
2004092994.tif 000008